(57)【要約】【課題】  情報の通知に伴う操作性の低下が抑制された画像形成装置を提供する。【解決手段】  印刷ジョブに基づく印刷処理と、エコレポートの印刷処理を行うことのできるＰＲＩＮＴＥＲ（１０８）と、印刷指示画面（１０４０）と通知画面（１０００）を同時に表示できるＰＡＮＥＬ（１０４）であって、２つの画面が同時に表示されているときに印刷ジョブに基づく印刷処理を指示可能なＰＡＮＥＬと、を有するＭＦＰ（１００）。【選択図】  図８
2017177745.tif 000002
【特許請求の範囲】
【請求項１】
ユーザの印刷情報に基づき記録材に画像形成を行う第１の印刷処理と、ユーザの印刷情報とは異なる印刷情報に基づき記録材に画像形成を行う第２の印刷処理と、を実行可能な画像形成部と、
ユーザの指示を受け付ける指示部と、を有し、
前記指示部は、前記第１の印刷処理の実行指示を受け付けるための第１の指示領域と前記第２の印刷処理の実行指示を受け付けるための第２の指示領域を少なくとも含む画面を表示可能であることを特徴とする画像形成装置。
【請求項２】
前記指示部は、第１の物理ボタンと第２の物理ボタンを含む押下可能な複数の物理ボタンを備え、
前記指示部は、前記第１の指示領域の表示中に前記第１の物理ボタンが押下されたことに基づき前記第１の印刷処理の実行指示を受け付け、前記画面の表示中に前記第２の物理ボタンが押下されたことに基づき前記第２の印刷処理の実行指示を受け付けることを特徴とする請求項１に記載の画像形成装置。
【請求項３】
前記指示部は、前記第１の指示領域に第１のオブジェクトを表示し、前記第２の指示領域に第２のオブジェクトを表示し、
前記指示部は、前記第１のオブジェクトが選択されたことに基づき前記第１の印刷処理の実行指示を受け付け、前記第２のオブジェクトが選択されたことに基づき前記第２の印刷処理の実行指示を受け付けることを特徴とする請求項１に記載の画像形成装置。
【請求項４】
前記第１のオブジェクトには所定の名称が表記されており、前記第２のオブジェクトには前記所定の名称と異なる名称が表記されていることを特徴とする請求項３に記載の画像形成装置。
【請求項５】
前記画面は第１の画面であって、
前記指示部は、前記第１の指示領域を備え且つ前記第２の指示領域を備えない第２の画面を表示可能であることを特徴とする請求項１乃至４のいずれか１項に記載の画像形成装置。
【請求項６】
時刻情報を取得する時刻情報取得手段を有し、
前記第１の指示領域の表示条件を満たしている場合、前記指示部は、前記時刻情報に基づき前記第１の画面と前記第２の画面のいずれか一方を表示することを特徴とする請求項５に記載の画像形成装置。
【請求項７】
前記指示部は、画面を表示不能な第１の状態から画面を表示可能な第２の状態へ移行する移行処理を実行可能であり、
前記指示部は、前記移行処理の実行時刻が所定の時刻を過ぎておらず且つ前記第１の指示領域の表示条件を満たしている場合は前記第２の画面を表示し、前記移行処理の実行時刻が前記所定の時刻を過ぎており且つ前記第１の指示領域の表示条件を満たしている場合は前記第１の画面を表示することを特徴とする請求項５または６に記載の画像形成装置。
【請求項８】
操作ユーザを認証する認証手段を備え、
前記指示部は、画面を表示不能な第１の状態から画面を表示可能な第２の状態へ移行する移行処理を実行可能であり、
前記指示部は、前記移行処理の実行時刻が所定の時刻を過ぎており且つ前記第１の指示領域の表示条件を満たしており且つ操作ユーザが管理者ユーザとして認証されている場合は前記第１の画面を表示し、前記移行処理の実行時刻が前記所定の時刻を過ぎており且つ前記第１の指示領域の表示条件を満たしており且つ操作ユーザが管理者ユーザとして認証されていない場合は前記第２の画面を表示することを特徴とする請求項５または６に記載の画像形成装置。
【請求項９】
前記指示部は、前記第１の画面の表示を開始してから所定の期間が経過した後に前記第２の画面を表示することを特徴とする請求項５乃至８のいずれか１項に記載の画像形成装置。
【請求項１０】
前記第１の印刷処理を実行した履歴に関する履歴情報を取得する履歴情報取得手段を備え、
前記画像形成部は、前記履歴情報に基づく印刷情報を用いて前記第２の印刷処理を実行することを特徴とする請求項１乃至９のいずれか１項に記載の画像形成装置。
【請求項１１】
前記画像形成部に電力を供給する電源と、
前記電源の消費電力に関する電力情報を取得する電力情報取得手段を備え、
前記画像形成部は、前記電力情報に基づく印刷情報を用いて前記第２の印刷処理を実行することを特徴とする請求項１乃至１０のいずれか１項に記載の画像形成装置。
【請求項１２】
ユーザの指示により外部情報端末から送信されてきたユーザの印刷情報を受信する受信部を有することを特徴とする請求項１乃至１１のいずれか１項に記載の画像形成装置。
【請求項１３】
原稿を読み取る読取部を備え、
ユーザの指示により前記読取部で読み取られた原稿に基づきユーザの印刷情報を生成する生成手段を有することを特徴とする請求項１乃至１２のいずれか１項に記載の画像形成装置。
【請求項１４】
前記画像形成部は、前記指示部が前記第１の印刷処理の実行指示を受け付けたことに応じて第１の印刷処理を実行し、前記指示部が前記第２の印刷処理の実行指示を受け付けたことに応じて前記第２の印刷処理を実行することを特徴とする請求項１乃至１３のいずれか１項に記載の画像形成装置。
【請求項１５】
ユーザの印刷情報に基づき記録材に画像形成を行う第１の印刷処理と、ユーザの印刷情報とは異なる印刷情報に基づき記録材に画像形成を行う第２の印刷処理と、を実行可能な画像形成部と、
ユーザの指示を受け付ける指示部と、を有し、
前記指示部は、前記第２の印刷処理の実行指示を受け付けるための第１の画面と、前記第１の画面の表示を促す通知を行う通知領域と前記第１の印刷処理の実行指示を受け付けるための指示領域を少なくとも含む第２の画面と、を含む複数の画面を選択的に表示可能であることを特徴とする画像形成装置。
【請求項１６】
前記指示部は、第１の物理ボタンと第２の物理ボタンを含む押下可能な複数の物理ボタンを備え、
前記指示部は、前記第２の画面の表示中に前記第１の物理ボタンが押下されたことに基づき前記第１の印刷処理の実行指示を受け付け、前記第２の画面の表示中に前記第２の物理ボタンが押下されたことに基づき前記第１の画面を表示することを特徴とする請求項１５に記載の画像形成装置。
【請求項１７】
前記指示部は、前記指示領域に第１のオブジェクトを表示し、前記通知領域に第２のオブジェクトを表示し、
前記指示部は、前記第１のオブジェクトが選択されたことに基づき前記第１の印刷処理の実行指示を受け付け、前記第２のオブジェクトが選択されたことに基づき前記第１の画面を表示することを特徴とする請求項１５に記載の画像形成装置。
【請求項１８】
前記第１のオブジェクトには所定の名称が表記されており、前記第２のオブジェクトには前記所定の名称と異なる名称が表記されていることを特徴とする請求項１７に記載の画像形成装置。
【請求項１９】
前記指示部は、前記指示領域を備え且つ前記通知領域を備えない第３の画面を表示可能であることを特徴とする請求項１５乃至１８のいずれか１項に記載の画像形成装置。
【請求項２０】
時刻情報を取得する時刻情報取得手段を有し、
前記指示領域の表示条件を満たしている場合、前記指示部は、前記時刻情報に基づき前記第２の画面と前記第３の画面のいずれか一方を表示することを特徴とする請求項１９に記載の画像形成装置。
【請求項２１】
前記指示部は、画面を表示不能な第１の状態から画面を表示可能な第２の状態へ移行する移行処理を実行可能であり、
前記指示部は、前記移行処理の実行時刻が所定の時刻を過ぎておらず且つ前記指示領域の表示条件を満たしている場合は前記第３の画面を表示し、前記移行処理の実行時刻が前記所定の時刻を過ぎており且つ前記指示領域の表示条件を満たしている場合は前記第２の画面を表示することを特徴とする請求項２０に記載の画像形成装置。
【請求項２２】
操作ユーザを認証する認証手段を備え、
前記指示部は、画面を表示不能な第１の状態から画面を表示可能な第２の状態へ移行する移行処理を実行可能であり、
前記指示部は、前記移行処理の実行時刻が所定の時刻を過ぎており且つ前記指示領域の表示条件を満たしており且つ操作ユーザが管理者ユーザとして認証されている場合は前記第２の画面を表示し、前記移行処理の実行時刻が前記所定の時刻を過ぎており且つ前記の指示領域の表示条件を満たしており且つ操作ユーザが管理者ユーザとして認証されていない場合は前記第３の画面を表示することを特徴とする請求項２０に記載の画像形成装置。
【請求項２３】
前記指示部は、前記第２の画面の表示を開始してから所定の期間が経過した後に前記第３の画面を表示することを特徴とする請求項１９乃至２２のいずれか１項に記載の画像形成装置。
【請求項２４】
前記第１の印刷処理を実行した履歴に関する履歴情報を取得する履歴情報取得手段を備え、
前記画像形成部は、前記履歴情報に基づく印刷情報を用いて前記第２の印刷処理を実行することを特徴とする請求項１５乃至２３のいずれか１項に記載の画像形成装置。
【請求項２５】
前記画像形成部に電力を供給する電源と、
前記電源の消費電力に関する電力情報を取得する電力情報取得手段を備え、
前記画像形成部は、前記電力情報に基づく印刷情報を用いて前記第２の印刷処理を実行することを特徴とする請求項１５乃至２４のいずれか１項に記載の画像形成装置。
【請求項２６】
ユーザの指示により外部情報端末から送信されてきたユーザの印刷情報を受信する受信部を有することを特徴とする請求項１５乃至２５のいずれか１項に記載の画像形成装置。
【請求項２７】
原稿を読み取る読取部を備え、
ユーザの指示により前記読取部で読み取られた原稿に基づきユーザの印刷情報を生成する生成手段を有することを特徴とする請求項１５乃至２６のいずれか１項に記載の画像形成装置。
【請求項２８】
ユーザの印刷情報に基づき記録材に画像形成を行う第１の印刷処理とユーザの印刷情報とは異なる印刷情報に基づき記録材に画像形成を行う第２の印刷処理を実行可能な画像形成部と、ユーザの指示を受け付ける指示部と、を備える画像形成装置の制御方法であって、
前記第１の印刷処理の実行指示を受け付けるための第１の指示領域と前記第２の印刷処理の実行指示を受け付けるための第２の指示領域を少なくとも含む画面を前記指示部に表示させるステップを有することを特徴とする画像形成装置の制御方法。
【請求項２９】
ユーザの印刷情報に基づき記録材に画像形成を行う第１の印刷処理とユーザの印刷情報とは異なる印刷情報に基づき記録材に画像形成を行う第２の印刷処理を実行可能な画像形成部と、ユーザの指示を受け付ける指示部と、を備える画像形成システムに用いられるコンピュータに、
前記第１の印刷処理の実行指示を受け付けるための第１の指示領域と前記第２の印刷処理の実行指示を受け付けるための第２の指示領域を少なくとも含む画面を前記指示部に表示させるステップを実行させるプログラム。
【請求項３０】
ユーザの印刷情報に基づき記録材に画像形成を行う第１の印刷処理とユーザの印刷情報とは異なる印刷情報に基づき記録材に画像形成を行う第２の印刷処理を実行可能な画像形成部と、ユーザの指示を受け付ける指示部と、を備える画像形成装置の制御方法であって、
前記第２の印刷処理の実行指示を受け付けるための第１の画面と、前記第１の画面の表示を促す通知を行う通知領域と前記第１の印刷処理の実行指示を受け付けるための指示領域を少なくとも含む第２の画面と、を含む複数の画面を前記指示部に選択的に表示させるステップを有することを特徴とする画像形成装置の制御方法。
【請求項３１】
ユーザの印刷情報に基づき記録材に画像形成を行う第１の印刷処理とユーザの印刷情報とは異なる印刷情報に基づき記録材に画像形成を行う第２の印刷処理を実行可能な画像形成部と、ユーザの指示を受け付ける指示部と、を備える画像形成システムに用いられるコンピュータに、
前記第２の印刷処理の実行指示を受け付けるための第１の画面と、前記第１の画面の表示を促す通知を行う通知領域と前記第１の印刷処理の実行指示を受け付けるための指示領域を少なくとも含む第２の画面と、を含む複数の画面を前記指示部に選択的に表示させるステップを実行させるプログラム。
【発明の詳細な説明】
【技術分野】
【０００１】
本発明は、記録材上に画像を形成する画像形成装置に関する。この画像形成装置は、例えば、複写機、プリンタ、ファックス、及びこれらの機能を複数備えた複合機等として用いられる。
【背景技術】
【０００２】
従来、画像形成装置では、ユーザによって入力された印刷情報に基づいてシート（記録材）に印刷（画像形成）がおこなわれている。ユーザによって入力された印刷情報とは、例えばユーザによって外部情報端末から送信された印刷情報であり、例えばユーザの操作によってスキャナで読み取られた画像情報に基づく印刷情報である。
【０００３】
また、ユーザによって入力された印刷情報に基づく印刷とは別に、ユーザによって入力された印刷情報によらずに印刷を実行する画像形成装置が知られている。特許文献１には、印刷特性のばらつきを低減すべくキャリブレーション機能を備える画像形成装置が記載されている。この画像形成装置においてキャリブレーションを行う場合、まずシートにパッチ画像を印刷し、次にシート上のパッチ画像をスキャナで読み込み、キャリブレーションデータを作成する。このキャリブレーションデータを用いて印刷時の画像補正を行うことで、この画像形成装置は、所望の品質で印刷を行うことができる。なお、画像形成装置の印刷特性は時間の経過と共に変化するため、時間の経過にあわせてキャリブレーションデータを更新していくことが望ましい。特許文献１の画像形成装置は、最後にキャリブレーションデータを作成してから所定の期間が過ぎた場合に、新規キャリブレーションデータの作成を促す通知画面を操作パネルに表示する機能を備えている。この通知画面は、新規キャリブレーションデータの作成を行うか否かをユーザが選択すると、表示が解除される。通知画面の表示が解除されるとユーザは操作パネルを操作して各種機能を使用することができる。
【先行技術文献】
【特許文献】
【０００４】
【特許文献１】特開２０００−３１８２６６号公報
【発明の概要】
【発明が解決しようとする課題】
【０００５】
ところで、ユーザによる選択が要求される通知画面を表示する画像形成装置は、通知内容と異なる操作を行うユーザにとって操作性が悪い。例えば、装置の使用状況に関するレポートの印刷を促す通知画面が操作パネルに表示された場合、印刷情報に基づいて印刷を行いたいユーザは通知画面の表示を解除してから印刷指示を行わなければならず、手間である。
【０００６】
本発明は上述した課題を鑑みてなされたものであり、その目的は、情報の通知に伴う操作性の低下が抑制された画像形成装置を提供することである。
【課題を解決するための手段】
【０００７】
本発明は、画像形成装置において、ユーザの印刷情報に基づき記録材に画像形成を行う第１の印刷処理と、ユーザの印刷情報とは異なる印刷情報に基づき記録材に画像形成を行う第２の印刷処理と、を実行可能な画像形成部と、
ユーザの指示を受け付ける指示部と、を有し、
前記指示部は、前記第１の印刷処理の実行指示を受け付けるための第１の指示領域と前記第２の印刷処理の実行指示を受け付けるための第２の指示領域を少なくとも含む画面を表示可能であることを特徴とするものである。
【発明の効果】
【０００８】
本発明によれば、情報の通知に伴う操作性の低下が抑制された画像形成装置を提供できる。
【図面の簡単な説明】
【０００９】
【図１】ＭＦＰ１００のハードウェア構成を示すブロック図である。
【図２】ＲＡＭ１０３のデータ記憶構成を示す図である。
【図３】エコレポートの構成を示す図である。
【図４】エコレポート印刷時における処理工程のフローチャートを示す図である。
【図５】エコレポートのレイアウト作成処理Ｓ４０２の工程を示すフローチャートを示す図である。
【図６】電源ＯＮ時における処理のフローチャートを示す図である。
【図７】節電復帰時における処理のフローチャートを示す図である。
【図８】エコレポート印刷を促す通知処理Ｓ６０５，Ｓ７０４のフローチャートを示す図である。
【図９】操作パネル１０４の構成を示す図である。
【図１０】図（ａ）はユーザ選択画面を示す図である。図（ｂ）はパスワード入力画面を示す図である。図（ｃ）は機能選択画面を示す図である。図（ｄ）は印刷指示画面を示す図である。
【図１１】図（ａ）はコピー指示画面を示す図である。図（ｂ）はスキャン指示画面を示す図である。図（ｃ）は通知画面が非表示の印刷指示画面を示す図である。図（ｄ）はエコレポート印刷の確認画面を示す図である。
【発明を実施するための形態】
【００１０】
以下、本発明を実施するための最良の形態について実施例を挙げて具体的に説明する。実施例では、画像形成装置としてＭＦＰ１００（Ｍｕｌｔｉｆｕｎｃｔｉｏｎ  Ｐｒｉｎｔｅｒ、複写機複合機）を一例に挙げ説明を行う。なお、本発明を適用できる範囲は実施例の構成のみには限定されない。発明の効果が得られる範囲において、構成の一部を均等物に置き換えてもよい。
【００１１】
［実施例］
（プリンタ構成）
図１は、ＭＦＰ１００のハードウェア構成を示すブロック図である。
ＭＦＰ１００は、記録材（シート、記録紙、用紙）に画像を形成する（印刷）する画像形成システムに用いられる画像形成装置（印刷装置）である。図１に示すように、ＭＦＰ１００は、ＣＰＵ１０１、ＲＯＭ１０２、ＲＡＭ１０３、ＰＡＮＥＬ１０４、ＬＣＤ１０５、画像処理部１０６、ＳＣＡＮＮＥＲ１０７、ＰＲＩＮＴＥＲ１０８を備えている。さらに、ＭＦＰ１００は、ＭＯＤＥＭ１０９、有線ＬＡＮ通信部１１０、無線ＬＡＮ通信部１１１、ＵＳＢ１１２、ＰＯＷＥＲ１１７を備えている。上述した各構成は、システムバス（Ｓｙｓｔｅｍ  ＢＵＳ）１１３により相互に通信可能に接続されている。また、ＭＦＰ１００は、公衆回線網１１４、ネットワーク網１１５、ＰＣ１１６に対して通信可能に接続されている。
【００１２】
ＣＰＵ１０１は、演算処理を行う演算処理部（演算処理装置、Ｃｅｎｔｒａｌ  Ｐｒｏｃｅｓｓｉｎｇ  Ｕｎｉｔ）である。ＣＰＵ１０１は、システムバス１１３に接続される各デバイスを総括的に制御する。またＣＰＵ１０１は、ＲＯＭ１０２に記憶されたファームウェアモジュールに基づき各種処理を実行する。なお、ファームウェアモジュールは、少なくとも２つ以上のモジュールから構成されており、モジュール単位で更新を行うことができる。また、ＣＰＵ１０１は、制御プログラムとして機能するファームウェアモジュールに基づき後述の各フローチャートに示す処理を実行する。なお、演算処理部としてはＭＰＵ（Ｍｉｃｒｏ  Ｐｒｏｃｅｓｓｉｎｇ  Ｕｎｉｔ）、ＭＣＵ（Ｍｉｃｒｏ  Ｃｏｎｔｒｏｌ  Ｕｎｉｔ）等の装置を利用してもよい。
【００１３】
ＲＯＭ１０２には、ファームウェアモジュールやシステムのブートプログラム等が記憶された記憶部である。
【００１４】
ＲＡＭ１０３は、ＣＰＵ１０１の主メモリ、ワークエリアとして機能する記憶部である。本実施例では、ＲＡＭ１０３としてＮＶＲＡＭ（不揮発性ＲＡＭ）を使用している。ＲＡＭ１０３は、システムソフトウェア、アプリケーションソフトウェアなどのプログラムや各種データが配置されている。また、ＲＡＭ１０３は、装置設定を保存するためのバックアップ可能なメモリとして使用される。
【００１５】
ＰＡＮＥＬ１０４は、ユーザによって操作可能なユーザインタ―フェース（操作部、操作パネル、指示部）である。操作部が備える構成としては、例えば、電源スイッチ、テンキー、ワンタッチキー、スタートキー、ストップキー、セットキー、リセットキー、節電キー、各種設定キー、ＬＥＤ等が挙げられる。図９はＰＡＮＥＬ１０４の構成を説明する図である。本実施例のＰＡＮＥＬ１０４は、タッチパネル９０１に加え、リセットキー９０２、スタートキー９０３、ストップキー９０４、テンキー９０５、節電キー９０６、電源スイッチ９０７等の押下可能なハードウェアキー（物理ボタン）を備えている。
【００１６】
タッチパネル９０１は、ＬＣＤ１０５に加えて、ユーザによるタッチ操作を検知する検知部として抵抗膜圧方式や静電容量方式のセンサ（不図示）を備える。ＬＣＤ１０５は、ユーザに情報を表示する液晶画面（表示部）である。ＬＣＤ１０５は、画面に情報を表示可能であればＬｉｑｕｉｄ  Ｃｒｙｓｔａｌ  Ｄｉｓｐｌａｙ以外の装置を用いることができる。ＬＣＤ１０５は、ユーザに対してメッセージやオブジェクト（アイコン、ボタン）を表示することでユーザによる指示操作を促す。例えば、タッチパネル９０１の液晶画面にはオブジェクト（アイコン、ボタン）が表示され、ユーザがこのオブジェクトの近傍に触れたことがセンサによって検知される。このときタッチパネル９０１は、ユーザがオブジェクト選択するためのタッチ操作を行ったと認識する。タッチパネル９０１は、タッチ操作に応じて画面を切り替えることで複数の画面を選択的に表示可能である。
【００１７】
リセットキー９０２は、指示・設定の取り消しや前の画面に戻るときに使うボタンである。スタートキー９０３はコピーやプリントの実行を決定するときに使うボタンである。ストップキー９０４は、出力中のプリントを中止するときに使うボタンである。テンキー９０５はパスワードや電話番号を入力するときにつかうボタンである。節電キー９０６は、ＭＦＰ１００の節電状態を切り替えるボタンである。節電キー９０６を押下すると、ＭＦＰ１００は、スタンバイ状態からスリープ状態に、あるいは、スリープ状態からスタンバイ状態に切り替わる。電源スイッチ９０７は、ＭＦＰ１００のＯＮ／ＯＦＦを切り替えるためのシーソースイッチである。電源スイッチ９０７をＯＮ位置に設定すると、ＭＦＰ１００に電力が供給される。電源スイッチ９０７をＯＦＦ位置に設定すると、ＭＦＰ１００への電力供給が停止され、ＭＦＰ１００はシャットダウン状態になる。
【００１８】
画像処理部１０６は、ＣＰＵ１０１の制御のもとで画像処理を実行する回路である。画像処理部１０６は、例えば、外部装置から受信した印刷用データ（印刷ジョブ、印刷情報）をデコードして生データに変換する。画像処理部１０６は、例えば、後述のＳＣＡＮＮＥＲ１０７で読み取った画像をＪＰＥＧデータに圧縮する。
【００１９】
ＳＣＡＮＮＥＲ１０７は、光学センサにより原稿の画像を読み取る読取処理を実行可能なスキャナ（読取装置、読取部）である。ＳＣＡＮＮＥＲ１０７によって原稿が読み取られると画像データが生成される。生成された画像データは、例えば印刷に用いる印刷データとして用いられる。なお、ＳＣＡＮＮＥＲ１０７にオートドキュメントフィーダを装着し、複数枚の原稿を自動的に読み取り可能にしてもよい。
【００２０】
ＰＲＩＮＴＥＲ１０８は、印刷情報に基づき記録材（シート、用紙）に画像形成を行うメカ機構であり、画像形成部として機能する。本実施例のＰＲＩＮＴＥＲ１０８は電子写真方写真方式を用いる。なお、ＰＲＩＮＴＥＲ１０８は、用紙に画像を形成可能であれば電子写真方式ではなくインクジェット方式等、他の方式のメカ機構であってもよい。
【００２１】
ＭＯＤＥＭ１０９は、公衆回線網１１４と接続するための通信インターフェースである。ＭＯＤＥＭ１０９は、ファクシミリデータの通信のためのデータ変換機能を有している。
【００２２】
有線ＬＡＮ通信部１１０は、有線ＬＡＮを介してネットワーク網１１５に通信可能に接続するための通信インターフェースである。ネットワークインタフェースを制御し、ネットワーク上の他端末やサーバーとデータのやり取りができる。ネットワーク網１１５には、ＰＣ１１６が通信可能に接続されている。
【００２３】
無線ＬＡＮ通信部１１１は、無線ＬＡＮを介してネットワーク網１１５に接続するための通信インターフェースである。無線ＬＡＮ通信部１１１は、無線ＬＡＮ通信機能を用いて無線ＬＡＮルータ（不図示）に通信可能に接続できる。そして、無線ＬＡＮ通信部１１１は、無線ＬＡＮルータを介してネットワーク網１１５に通信可能に接続できる。
【００２４】
ＵＳＢ１１２は、ＵＳＢ（Ｕｎｉｖｅｒｓａｌ  Ｓｅｒｉａｌ  Ｂｕｓ）デバイス機能を備えた通信インターフェースである。ＵＳＢ１１２はＵＳＢケーブル（不図示）を介してＰＣ１１６と通信可能に接続できる。そして、ＵＳＢ１１２は、スキャン指示やプリント指示など、ＰＣ１１６からの機能指示を受けつけることができる。
【００２５】
有線ＬＡＮ通信部１１０、無線ＬＡＮ通信部１１１、ＵＳＢ１１２は、ユーザの指示によりＰＣ１１６（外部情報端末）から送信された印刷情報（印刷ジョブ、印刷データ）を受信する受信部である。受信した印刷情報は、ＲＡＭ１０３に保存される。なお、ＨＤＤ等の大容量記憶装置を設けて、そこに印刷情報を保存してもよい。
【００２６】
ＰＯＷＥＲ１１７は、ＭＦＰ１００の各構成に電力を供給する電源である。ＰＯＷＥＲ１１７は、ランニング状態と、スタンバイ状態と、スリープ状態と、シャットダウン状態を取り得る。
【００２７】
ランニング状態とは、印刷を実行できるように、ＭＦＰ１００の各構成に電力を供給する状態である。ランニング状態のときＰＯＷＥＲ１１７は、以下の構成に電力を供給する。その構成は、ＣＰＵ１０１、ＲＯＭ１０２、ＲＡＭ１０３、ＰＡＮＥＬ１０４、ＬＣＤ１０５、画像処理部１０６、ＳＣＡＮＮＥＲ１０７またはＰＲＩＮＴＥＲ１０８の少なくとも一方、ＭＯＤＥＭ１０９、有線ＬＡＮ通信部１１０、無線ＬＡＮ通信部１１１、ＵＳＢ１１２、ＣＯＵＮＴＥＲ１１８である。
【００２８】
スタンバイ状態とは、印刷データの処理をできるように、ＭＦＰ１００のコントローラ周りに電力を供給する状態である。スタンバイ状態のときＰＯＷＥＲ１１７は、以下の構成に電力を供給する。その構成とは、ＣＰＵ１０１、ＲＯＭ１０２、ＲＡＭ１０３、ＰＡＮＥＬ１０４、ＬＣＤ１０５、画像処理部１０６、ＭＯＤＥＭ１０９、有線ＬＡＮ通信部１１０、無線ＬＡＮ通信部１１１、ＵＳＢ１１２、ＣＯＵＮＴＥＲ１１８である。
【００２９】
スリープ状態とは、印刷ジョブが入力された場合にスタンバイ状態に復帰（移行）するため、ＭＦＰ１００の最低限の箇所に電力供給を行う状態である。スリープ状態のときＰＯＷＥＲ１１７は、ＰＡＮＥＬ１０４の節電キー９０６、ＭＯＤＥＭ１０９、有線ＬＡＮ通信部１１０、無線ＬＡＮ通信部１１１、に電力を供給する。
【００３０】
シャットダウン状態とは、ＭＦＰ１００が動作しない状態であり、ＭＦＰ１００の各構成に電力供給をしない状態である。
【００３１】
ＣＯＵＮＴＥＲ１１８は、時刻の経過を計時する計時部である。ＣＯＵＮＴＥＲ１１８は、初期設定値から時刻の経過を計時し続けることで、時刻のみならず現在の年月日を取得することができる。ＣＰＵ１０１は、ＣＯＵＮＴＥＲ１１８から現在時刻を取得する時刻情報取得手段として機能する。
【００３２】
（データ）
次に、ＲＡＭ１０３の構成について詳細に説明する。図２は、本実施例のＲＡＭ１０３の構成を示す図である。ＲＡＭ１０３は、各種データを保存するための保存領域を有する。ＭＦＰ１００のステータスに関する情報の保存領域の例として、スタート時刻２１１が挙げられる。スタート時刻２１１は、工場から出荷された装置がユーザ先で始めて印刷した日時を示すデータを保存する領域である。
【００３３】
ＭＦＰ１００の印刷枚数に関する情報（印刷の履歴情報）の保存領域の例として、総印刷枚数２１２、総コピー枚数２１３、総ＰＣ記録枚数２１４、総ＦＡＸ記録枚数２１５が挙げられる。総印刷枚数２１２は、装置が印刷した総枚数を示すデータを保存する領域である。総コピー枚数２１３は、装置がコピー印刷した総枚数情報を保存する領域である。総ＰＣ記録枚数２１４は、ＰＣからの印刷指示により装置がプリントした総枚数情報を保存する領域である。総ＦＡＸ記録枚数２１５は、装置がＦＡＸ文書を受信して記録した総枚数情報を保存する領域である。
【００３４】
ＲＡＭ１０３は、印刷の種類ごとの枚数情報を保存する保存領域として、１ｉｎ１（１ｏｎ１）保存領域２０１、２ｉｎ１（２ｏｎ１）保存領域２０２、４ｉｎ１（４ｏｎ１）保存領域２０３を有する。
【００３５】
１ｉｎ１保存領域２０１は、１ページの元データを１面に記録する１ＩＮ１印刷の枚数情報を保存する領域である。１ｉｎ１保存領域２０１に含まれる保存領域の例として、片面コピー枚数２２１、両面コピー枚数２２２、片面ＰＣ記録枚数２２３、両面ＰＣ記録枚数２２４、片面ＦＡＸ記録枚数２２５、両面ＦＡＸ記録枚数２２６が挙げられる。
【００３６】
２ｉｎ１保存領域２０２は、２ページの元データを１面に記録する２ＩＮ１印刷の枚数情報を保存する領域である。２ｉｎ１保存領域２０２に含まれる保存領域の例として、片面コピー枚数２３１、両面コピー枚数２３２、片面ＰＣ記録枚数２３３、両面ＰＣ記録枚数２３４が挙げられる。
【００３７】
４ｉｎ１保存領域２０３は、４ページの元データを１面に記録する４ＩＮ１印刷の枚数情報を保存する領域である。４ｉｎ１保存領域２０３に含まれる保存領域の例として、片面コピー枚数２４１、両面コピー枚数２４２、片面ＰＣ記録枚数２４３、両面ＰＣ記録枚数２４４が挙げられる。
【００３８】
ＭＦＰ１００の両面印刷枚数に関する情報の保存領域の例として、総両面コピー枚数２５１、総両面ＰＣ記録枚数２５２、総両面ＦＡＸ記録枚数２５３が挙げられる。総両面コピー枚数２５１は、装置が両面コピー印刷した総枚数情報を保存する領域である。総両面ＰＣ記録枚数２５２は、ＰＣからの印刷指示により装置が両面プリントした総枚数情報を保存する領域である。総両面ＦＡＸ記録枚数２５３は、受信したＦＡＸ文書を両面印刷した枚数情報を保存する保存領域である。上述した各枚数情報は、対応した印刷が行われる度にＣＰＵ１０１に計数（カウント）され、ＲＡＭ１０３において記憶・更新される。ＣＰＵ１０１は、ＲＡＭから履歴情報を読み込むことで履歴情報取得手段として機能する。履歴情報とは、例えば、総印刷枚数２１２、総コピー枚数２１３、総ＰＣ記録枚数２１４、総ＦＡＸ記録枚数２１５、１ｉｎ１保存領域２０１、２ｉｎ１保存領域２０２、４ｉｎ１保存領域２０３、総両面コピー枚数２５１、総両面ＰＣ記録枚数２５２、総両面ＦＡＸ記録枚数２５３等である。
【００３９】
ＭＦＰ１００の設定値に関する情報の例として、エコレポート通知推奨時刻２６１、エコレポート最終印刷日時２６２が挙げられる。
【００４０】
エコレポート通知推奨時刻２６１は、エコレポート印刷を促す通知をユーザに対して行う時刻情報を保存する保存領域である。エコレポート印刷を促す通知を行った後において、ＣＰＵ１０１は、エコレポート通知推奨時刻２６１を、次に通知を行う時刻情報に更新する。
【００４１】
エコレポート最終印刷日時２６２は、エコレポートを最後に印刷した日時情報を保存する保存領域である。
【００４２】
（エコレポート）
次に、エコレポート３００について詳細に説明する。図３は、本実施例で印刷するエコレポート３００の構成を示す図である。ＭＦＰ１００はエコレポート機能を備えている。エコレポート機能とは、装置の使用状況に関する情報の一覧を印刷する機能である。エコレポートには、例えば月間の印刷枚数が記載されている。ユーザは、エコレポート３００を確認することで現状を把握し、印刷枚数を抑制するための設定を行うことができる。
【００４３】
エコレポート３００は、タイトル部３０１、３０２から３０７の用紙節約部、３０８から３１０の電力節約部を備えている。
【００４４】
用紙節約部は、タイトル３０２、使用状況３０３、提案部３０７を備える。タイトル３０２には、用紙の節約を促すタイトルが記載されている。使用状況３０３には、印刷機能の使用状況について記載されている。使用状況３０３は、総出力枚数３０４と、両面出力枚数３０５と、ページ集約出力枚数３０６を備える。
【００４５】
総出力枚数３０４には、コピー機能を用いて印刷された枚数と、プリント機能を用いて印刷された枚数と、ファックス機能を用いて印刷された枚数が記載されている。両面出力枚数３０５には、コピー機能を用いて両面印刷された枚数と及びその割合と、プリント機能を用いて両面印刷された枚数及びその割合と、ファックス機能を用いて両面印刷された枚数が記載されている。ページ集約出力枚数３０６には、コピー機能を用いて両面印刷された枚数及びその割合と、プリント機能を用いて両面印刷された枚数及びその割合が記載されている。なお、ページ集約印刷の例としては、２枚の原稿を１枚にまとめて印刷する２ＩＮ１印刷や、と、４枚の原稿を１枚にまとめて印刷する４ＩＮ１印刷が挙げられる。なお、本実施例では、エコレポートに記載する各印刷枚数について、ＭＦＰ１００が稼働してからの総枚数について記載している。しかしながら、エコレポートに記載する各印刷枚数には所定の期間内の印刷枚数のみを抽出して記載してもよい。例えば、各印刷枚数について１月分の印刷枚数を記載してもよい。提案部３０７には、用紙節約効果を高めるための提案が記載されている。提案の例としては、両面印刷の利用を促す提案や、ページ集約印刷の利用を促す提案が挙げられる。
【００４６】
電力節約部は、タイトル３０２、使用状況３０３、提案部３０７を備える。タイトル３０２には、用紙の節約を促すタイトルが記載されている。使用状況３０３には、印刷機能の使用状況（使用情報）について記載されている。使用状況３０３は、総出力枚数３０４と、両面出力枚数３０５と、ページ集約出力枚数３０６を備える。電力節約部は、タイトル３０８、使用状況３０９、提案部３１０を備える。タイトル３０８には、電力の節約を促すタイトルが記載されている。使用状況３０９には、現在の消費電力の状況、及び、電力節約提案部に記載されている設定を実施した場合の消費電力の試算結果を記載されている。消費電力の情報（電力情報）は、所定の期間内におけるＰＯＷＥＲ１１７の使用電力に基づいてＣＰＵ１０１により作成され、ＲＡＭ１０３に予め記憶されている。このとき、ＣＰＵ１０１は電力情報取得手段として機能する。
【００４７】
提案部３１０には、消費電力の節約効果を高めるための提案が記載されている。提案の例としては、ページ集約印刷の利用を促す提案や、無線ＬＡＮ通信部１１１におけるパワーセーブモードの利用を促す提案が挙げられる。
【００４８】
（エコレポート印刷処理）
次に、上述したエコレポートを印刷するための処理について説明する。図４は本実施例でのエコレポートの印刷処理を示したフローチャートである。
【００４９】
エコレポート印刷は、ユーザがＰＡＮＥＬ１０４を操作し、レポート印刷メニューの中からエコレポート印刷機能を選択した場合に実行される。あるいは、後述するエコレポート印刷を促す通知処理中に所定の操作をおこなうことで実行される。
【００５０】
エコレポート印刷機能が選択されると、ＣＰＵ１０１はエコレポートのレイアウト作成処理を行う（Ｓ４０１）。エコレポートのレイアウトは図３に示した通りである。次に、ＣＰＵ１０１は、作成したレポートデータに基づいてＰＲＩＮＴＥＲ１０８に印刷処理を実行させる（Ｓ４０２）。続いて、ＣＰＵ１０１は、エコレポートを印刷した日時情報を、ＲＡＭ１０３のエコレポート最終印刷日時２６２に保存して処理を終える（Ｓ４０３）。
【００５１】
図５は、本実施例でのエコレポートのレイアウト作成処理Ｓ４０２を示したフローチャートである。
【００５２】
ＣＰＵ１０１は、レイアウト作成処理を開始すると、まず、エコレポートのタイトル部３０１を作成する（Ｓ５０１）。具体的に述べると、ＣＰＵ１０１は、ＲＯＭ１０２に保存されているタイトル部の情報をフォントデータとして展開し、ＲＡＭ１０３におけるエコレポート出力用エリアの規定の位置に保存する。次に、ＣＰＵ１０１は、エコレポートの用紙節約のタイトル３０２を作成する（Ｓ５０２）。ＣＰＵ１０１は、ＲＯＭ１０２に保存されている用紙節約のタイトル部の情報をフォントデータとして展開して、ＲＡＭ１０３におけるエコレポート出力用エリアの規定の位置へ保存する。
【００５３】
ＣＰＵ１０１は、印刷機能の使用状況３０３に記載するための印刷枚数を計算する（Ｓ５０３）。たとえば、コピーにおける総出力枚数３０４を求める場合、ＣＰＵ１０１は、ＲＡＭ１０３の総コピー枚数２１３の情報をそのまま使用する。コピーにおける両面出力枚数を求める場合、ＣＰＵ１０１は、ＲＡＭ１０３の総両面コピー枚数２５１の情報をそのまま使用する。総コピー枚数における総両面コピー枚数の割合を求める場合、ＣＰＵ１０１は、総両面コピー枚数２５１を総コピー枚数２１３で割る。コピーにおけるページ集約出力枚数３０６を求める場合、ＣＰＵ１０１は、２ＩＮ１の片面コピー枚数２３１、両面コピー枚数２３２、４ＩＮ１の片面コピー枚数２４１、両面コピー枚数２４２の和を求める。ＣＰＵ１０１は、求めた和の値を総コピー枚数２１３で割ることで、総コピー枚数におけるページ集約枚数の割合を求めることが出来る。ＣＰＵ１０１は、このような作業をＰＣプリント、ファクスに対しても行うことで、エコレポートに記載する使用状況について計算する。
【００５４】
ＣＰＵ１０１は、印刷使用状況３０３を作成する（Ｓ５０４）。ＣＰＵ１０１は、表のフォーマットや、表示するテキスト情報をＲＡＭ１０３から読み込み、ＲＡＭ１０３のエコレポート出力用エリアの規定の位置に保存する。印刷枚数や割合などの情報を出力する場合、ＣＰＵ１０１は、Ｓ５０３で計算した結果データをもとにフォントデータを展開し、ＲＡＭ１０３におけるエコレポート出力用エリアの規定の位置に保存する。
【００５５】
ＣＰＵ１０１は、用紙節約の提案部を作成する（Ｓ５０５）。具体的に述べると、ＣＰＵ１０１は、ＲＯＭ１０２に保存されている用紙節約の提案部の情報を読み込み、フォントデータとして展開し、ＲＡＭ１０３におけるエコレポート出力用エリアの規定の位置へ保存する。
【００５６】
ＣＰＵ１０１は、エコレポートの電力節約タイトル３０８を作成する（Ｓ５０６）。具体的に述べると、ＣＰＵ１０１は、ＲＯＭ１０２に保存されている電力節約タイトル部の情報を読み込み、フォントデータとして展開し、ＲＡＭ１０３におけるエコレポート出力用エリアの規定の位置へ保存する。
【００５７】
ＣＰＵ１０１は、電力使用状況３０９に記載する電力使用量を計算する（Ｓ５０７）。また、ＣＰＵ１０１は、電力節約の提案を実施した場合の電力使用量を試算する。続いてＣＰＵ１０１は、電力使用状況３０９を作成する（Ｓ５０８）。ＣＰＵ１０１は、表のフォーマットや表示するテキストの情報をＲＡＭ１０３から読み込み、フォントデータとして展開してＲＡＭ１０３のエコレポート出力用エリアの規定の位置に保存する。ＣＰＵ１０１は、電力量は計算した結果データをもとにフォントデータを展開して、ＲＡＭ１０３のエコレポート出力用エリアの規定の位置に保存する。
【００５８】
ＣＰＵ１０１は、電力節約の提案部を作成する（Ｓ５０９）。具体的には、ＣＰＵ１０１は、ＲＯＭ１０２に保存されている電力節約の提案部の情報を読み込み、フォントデータとして展開し、ＲＡＭ１０３におけるエコレポート出力用エリアの規定の位置へ保存する。
【００５９】
（エコレポート通知画面）
次にエコレポートの通知画面について説明する。本実施例では、ＰＡＮＥＬ１０４にエコレポートの印刷を促す通知画面を表示することができる。この通知をＰＡＮＥＬ１０４に表示した状態で、ユーザは他の指示を行うべくＰＡＮＥＬ１０４を操作することができる。つまり、この通知は、ユーザによるＰＡＮＥＬ１０４の操作を妨げない。以下、図を用いて詳細に説明する。
【００６０】
図１０（ａ）はユーザ選択画面を示す図である。図１０（ｂ）はパスワード入力画面を示す図である。図１０（ｃ）は機能選択画面を示す図である。図１０（ｄ）は印刷指示画面を示す図である。図１１  （ａ）はコピー指示画面を示す図である。図１１（ｂ）はスキャン指示画面を示す図である。図１１（ｃ）は通知画面が非表示の印刷指示画面を示す図である。図１１（ｄ）はエコレポート印刷の確認画面を示す図である。
【００６１】
ＭＦＰ１００がシャットダウン状態から起動した場合、または、節電ボタンの押下によりスリープ状態から復帰した場合、タッチパネル９０１が点灯し、ユーザ選択画面１０１０が表示される。すなわち、タッチパネル９０１は、画面を表示不可能（表示不能）な状態から表示可能な状態へと移行処理を行う。
【００６２】
選択画面１０１０は、ＰＡＮＥＬ１０４を操作する操作ユーザを認証するための画面（ログイン領域、ユーザ選択領域）である。選択画面１０１０には、予め登録されたユーザ情報に基づき、ユーザアイコン１０１１、１０１２、１０１３が配置されている。ユーザアイコン１０１１、１０１２、１０１３のいずれかが選択されると、図１０（ｂ）に示すように、タッチパネル９０１にはパスワード入力画面１０２０が表示される。
【００６３】
入力画面１０２０は、ユーザにパスワードの入力を促す画面（ログイン領域、パスワード入力領域）である。入力画面１０２０には、パスワードを入力するための入力フォーム１０２１と、ＯＫボタン１０２２が配置されている。入力フォーム１０２１にパスワードが入力され、ＯＫボタン１０２２が選択されると、認証処理が開始される。認証処理において、ＣＰＵ１０１は、選択されたユーザアイコンと入力されたパスワードの組み合わせを、ＲＡＭ１０３に予め記憶された認証情報と照合する。このとき、ＣＰＵ１０１は認証手段として機能する。認証が失敗するとタッチパネル９０１には入力画面１０２０が再び表示され、認証が成功すると、タッチパネル９０１には機能選択画面１０３０が表示される。
【００６４】
選択画面１０３０は、ＭＦＰ１００が実行可能な機能から使用したい機能を選択する画面（選択領域）である。本実施例のＭＦＰ１００は、ＳＣＡＮＮＥＲ１０７とＰＲＩＮＴＥＲ１０８を有しており、コピー機能とスキャン機能とプリント機能を使用可能である。選択画面１０３０には、コピー機能選択ボタン１０３１と、スキャン機能選択ボタン１０３２と、プリント機能選択ボタン１０３３が配置されている。
【００６５】
機能選択画面１０３０において、いずれかの機能ボタンが選択されると、タッチパネル９０１には機能画面が表示される、具体的に述べると、プリント機能選択ボタン１０３３が選択されると、プリント指示画面１０４０が表示される。コピー機能選択ボタン１０３１が選択されるとコピー指示画面１１００が表示される。スキャン機能選択ボタン１０３２が選択されるとスキャン指示画面１１１０が表示される。
【００６６】
指示画面１０４０は、プリント（印刷処理）の実行指示を行うための画面（指示領域）である。指示画面１０４０には、認証されたユーザに関連する印刷ジョブのリスト１０４２と、印刷実行ボタン１０４１が配置されている。これらの印刷ジョブは、ユーザが操作するＰＣ（外部情報端末）からネットワークを介して送信されてくる。ユーザは、ＰＡＮＥＬ１０４を操作して、リスト１０４２の中からジョブを選択し、実行ボタン１０４１を選択することでＭＦＰ１００に印刷指示を行うことができる。また、ユーザは、ＰＡＮＥＬ１０４を操作して、リスト１０４２の中からジョブを選択し、スタートキー９０３を選択することでＭＦＰ１００に印刷指示を行うことができる。
【００６７】
指示画面１１００は、コピー（複写処理）の実行指示を行うための画面である。指示画面１１００には、各種設定を行うための設定ボタン群１１０２と実行ボタン１１０１が配置されている。
【００６８】
指示画面１１１０は、スキャン（読取処理）の実行指示を行うための画面である。指示画面１１１０には、各種設定を行うための設定ボタン群１１１２と実行ボタン１１１１が配置されている。
【００６９】
なお、選択画面１０１０、入力画面１０２０、選択画面１０３０、指示画面１０４０の表示中において、後述する条件を満たしていれば、エコレポート通知画面１０００が表示される。以後の説明では機能画面を代表して指示画面１０４０を用いる。
【００７０】
通知画面１０００はエコレポートの印刷を促すための画面（通知領域）である。通知画面１０００には、エコレポートの実行を促す文面とレポート実行ボタン１００１が配置されている。通知画面１０００は、選択画面１０１０、入力画面１０２０、選択画面１０３０、指示画面１０４０等の主画面の一部領域に対してオーバーラップ（重ね合わせ処理）して表示される副画面である。つまり、タッチパネル９０１は、通知画面１０００と主画面の両方が同時に表示された状態となる。なお、主画面に通知画面１０００をオーバーラップさせると、主画面の情報が確認し難い場合がある。特に、プリント指示画面１０４０のような機能画面では表示する情報量が多く、一部の情報が隠れてしまう場合がある。そこで、図１１（ｃ）に示すように、通知画面１０００を表示されない指示画面１１２０と指示画面１０４０を交互に表示させてもよい。すなわち、このとき、通知画面１０００は明滅する状態となる。このような構成によりタッチパネル９０１の表示可能な画面領域が狭い場合であっても通知画面１０００を表示することができる。また、通知画面１０００を主画面にオーバーラップさせずに、主画面にと並列して表示させてもよい。この場合、通知画面１０００が表示されているときは主画面の表示領域が狭くなるため、主画面を縮小して表示するとよい。
【００７１】
ユーザが実行ボタン１００１を選択するかリセットキー９０２を長押しする（所定時間押し続ける）と、エコレポートの印刷が開始される。すなわち、指示画面１０４０及び通知画面１０００の表示中にスタートキー９０３が押下されると、ユーザによって入力された印刷ジョブの印刷処理が実行される。一方、指示画面１０４０及び通知画面１０００の表示中にリセットキー９０２が押下されると、エコレポートの印刷処理が実行される。このように異なる物理キーが割り当てることでユーザの操作ミスを抑制できる。同様に、指示画面１１００、１１１０においても物理キーの機能の割り当てを異ならせるとよい。また、本実施例では、実行ボタン１００１に「レポート」という名称を表記し、印刷実行ボタン１０４１に「印刷」という名称を表記している。このように、表記名を異ならせることで、ユーザの操作ミスを抑制することができる。
【００７２】
なお、実行ボタン１００１の選択またはリセットキーの選択にともない、図１１（ｄ）に示すように、タッチパネル９０１にエコレポートの印刷を確認する確認画面１１３０が表示させてもよい。この場合、表示された確認画面１１３０において、承認ボタン１１３１が選択されることでエコレポートの印刷が開始される。非承認ボタン１１３２が選択された場合は、エコレポートの印刷は開始されない。なお、非承認ボタン１１３２の選択に伴い、通知画面１０００を非表示にしてもよい。確認画面１１３０を表示しないことで、エコレポート印刷の応答性を向上させることができる。一方、確認画面１１３０を表示することで、誤タッチによるエコレポートの誤印刷を抑制できる。
【００７３】
（エコレポート通知制御）
次に、エコレポートの印刷を促す通知に関する制御について詳細に説明する。本実施例では、この通知は一カ月に一回、定期的に行われるため、ユーザはこの通知に基づきエコレポートを定期的に出力することができる。また、この通知は時間の経過に伴い非表示になる。あるいは、エコレポートが印刷されたことに伴いこの通知は非表示になる。そのため、ＰＡＮＥＬ１０４の表示領域の一部が通知によって常に占有されてしまう虞が無い。この通知は、ユーザがＰＡＮＥＬ１０４を操作したことに基づいて表示される。そのため、操作部を操作するユーザに確実に通知内容を通知することができる。以下、図を用いて詳細に説明する。
【００７４】
まず、ＭＦＰ１００が電源ＯＮになったときの制御について説明する。図６は本実施例での電源ＯＮ時のエコレポート推奨通知に関する処理を示したフローチャートである。
【００７５】
ユーザが電源スイッチ９０７を操作しＭＦＰ１００の電源がＯＮになり（Ｓ６００）、ＣＰＵ１０１が作動すると、ＣＰＵ１０１は工場出荷後の最初の電源ＯＮかどうかを確認する（Ｓ６０１）。最初の電源ＯＮかどうかは、ＲＡＭ１０３内の装置情報（出荷時フラグ）に基づき判定する。
【００７６】
工場出荷後の電源ＯＮではなかった場合（Ｓ６０１：ＮＯ）、ＣＰＵ１０１はＳ６０３へと処理を進める。
【００７７】
工場出荷後の最初の電源ＯＮであった場合（Ｓ６０１：ＹＥＳ）、ＣＰＵ１０１は、エコレポート推奨通知時刻を計算して、ＲＡＭ１０３のエコレポート推奨通知時刻２６１に保存する。なお、エコレポート推奨通知を行うタイミングは、ＲＯＭ１０２のプログラム内であらかじめ決められている。例えば、毎月２０日の午前９時と決まっている場合は、ＣＰＵ１０１は現在時刻情報から次に来る２０日の午前９時をエコレポート推奨通知時刻に決定する。その後、ＣＰＵ１０１はＳ６０３へと処理を進める。
【００７８】
ＣＰＵ１０１は、ＣＯＵＮＴＥＲ１１８から現在時刻（起動処理の実行時刻）を取得し、エコレポート推奨通知時刻と比較をおこなう。即ち、ＣＰＵ１０１は、現在時刻がエコレポート推奨時刻を過ぎたか否かを判定する（Ｓ６０３）。現在時刻がエコレポート推奨時刻を過ぎていない場合（Ｓ６０３：ＮＯ）、ＣＰＵ１０１は処理を終了する。現在時刻がエコレポート推奨時刻を過ぎている場合（Ｓ６０３：ＹＥＳ）、ＣＰＵ１０１はＳ６０４へと処理をすすめる。
【００７９】
ＣＰＵ１０１は、一定期間においてエコレポートが未印刷かどうかを確認する（Ｓ６０４）。具体的に述べると、ＣＰＵ１０１は、現在時刻とエコレポート最終印刷日時２６２の情報を比較する。そして、ＣＰＵ１０１は、現在時刻とエコレポート最終印刷日時２６２の間に一定日数以上の差があいているかを判定する。なお、この一定の日時は日数スレッショルド情報（不図示）としてＲＯＭ１０２に記憶されている。
【００８０】
一定の期間においてエコレポートが未印刷でなかった場合、即ち、一定の期間中にエコレポートの印刷が行われていた場合（Ｓ６０４：ＮＯ）、ＣＰＵ１０１は処理を終える。これは、近日中にエコレポートが印刷されており通知しなくてよいからである。一定の期間においてエコレポートが未印刷だった場合（Ｓ６０４：ＹＥＳ）、ＣＰＵ１０１は、エコレポート印刷を促す通知処理を行う（Ｓ６０５）。
【００８１】
エコレポート印刷を促す通知処理の詳細は後述する。
【００８２】
上述したフローによれば、ＭＦＰ１００の電源ＯＮ時にエコレポート推奨通知時刻の経過を確認できる。そして、一定期間中にエコレポートの印刷が行われていない場合、エコレポート印刷を促す通知を表示することができる。電源ＯＮに伴い通知が表示されるため、電源スイッチ９０７を操作する為にＭＦＰ１００に近づいたユーザは、タッチパネル９０１に表示された通知内容を確実に確認することができる。
【００８３】
次に、ＭＦＰ１００が節電状態から復帰したときの制御について説明する。スリープ状態のＭＦＰ１００は、様々な要因に基づいてスタンバイ状態に復帰する。復帰要因としては、ＰＣからのプリントジョブ受信時、ＦＡＸ着信時、ＰＡＮＥＬ１０４上に配置された節電キー９０６が押下されたとき等がある。この中で、ユーザが確実にＭＦＰ１００の前にいると考えられる節電キー９０６の押下時に、エコレポート印刷を促す通知を表示させたい。そのため、本実施例では、節電キー９０６の押下によりＭＦＰ１００が復帰したこと基づいて、エコレポート印刷を促す通知を行う。なお、ユーザがＭＦＰ１００の近くにいることを検知できれば他の方法で検知してもよい。例えば、超音波センサや赤外線センサ等、人を検知可能なセンサを用いてもよい。しかしながら、このような特別なセンサを必要としない本実施例の構成のほうがコスト面で好ましい。
【００８４】
図７は本実施例での節電復帰時のエコレポート通知に関する処理を示すフローチャートである。
【００８５】
何らかの要因によってＭＦＰ１００がスリープ状態から復帰すると（Ｓ７００）、ＣＰＵ１０１は、節電から復帰した要因が節電キー９０６の押下であるかどうかを確認する（Ｓ７０１）。なお復帰要因の確認には、ＭＦＰ１００の復帰時にＲＡＭ１０３に記憶される復帰フラグが用いられる。復帰フラグは、復帰要因によって異なる値が記憶される。
【００８６】
ＭＦＰ１００の復帰要因が節電キー９０６の押下でなかった場合（Ｓ７０１：ＮＯ）、例えばＰＣからのプリントジョブの投入であった場合、ＣＰＵ１０１は処理を終える。即ち、ＣＰＵ１０１は、タッチパネル９０１に通知画面１０００を表示させない。
【００８７】
節電キー９０６の押下による節電復帰であった場合（Ｓ７０１：ＹＥＳ）、ＣＰＵ１０１はＳ７０２へと処理を進める。そして、現在時刻がエコレポート推奨通知時刻を過ぎているかどうかを確認する（Ｓ７０２）。現在時刻がエコレポート推奨通知時刻Ｓ７０２を過ぎていない場合、ＣＰＵ１０１は処理を終える。現在時刻がエコレポート推奨通知時刻Ｓ７０２を過ぎている場合、ＣＰＵ１０１はＳ７０３へと処理を進める。そして、ＣＰＵ１０１は、一定期間エコレポートが未印刷かどうかを確認する。
【００８８】
具体的に述べると、ＣＰＵ１０１は、現在時刻とエコレポート最終印刷日時２６２の情報を比較する。そして、ＣＰＵ１０１は、現在時刻とエコレポート最終印刷日時２６２の間に一定日数以上の差があいているかを判定する。なお、この一定の日時は日数スレッショルド情報（不図示）としてＲＯＭ１０２に記憶されている。
【００８９】
一定の期間においてエコレポートが未印刷でなかった場合、即ち、一定の期間中にエコレポートの印刷が行われていた場合（Ｓ７０３：ＮＯ）、ＣＰＵ１０１は処理を終える。これは、近日中にエコレポートが印刷されており通知しなくてよいからである。一定の期間においてエコレポートが未印刷だった場合（Ｓ７０３：ＹＥＳ）、ＣＰＵ１０１は、エコレポート印刷を促す通知処理を行う（Ｓ７０４）。
【００９０】
上述したフローによれば、ＭＦＰ１００の復帰時に復帰要因を確認できる。そして、節電キーの押下が復帰要因であって、一定期間中にエコレポートの印刷が行われていない場合、エコレポート印刷を促す通知を表示することができる。節電復帰に伴い通知が表示されるため、節電キー９０６を操作する為にＭＦＰ１００に近づいたユーザは、タッチパネル９０１に表示された通知内容を確実に確認することができる。
【００９１】
次に、エコレポートの印刷を促す通知が行われたあとの制御について説明する。エコレポートの印刷を促す通知を行う場合、通知があることをユーザに確実に伝えたい。一方で、ＰＡＮＥＬ１０４の操作性を低下させたくない。そこで、本実施例では、ユーザがＭＦＰ１００の近くにいることを確認してから、通知を表示し、所定の時間が過ぎてから通知を削除している。図８は本実施例でエコレポート印刷を促す通知が行われた後の制御を示すフローチャートである。
【００９２】
通知を表示する条件が満たされた場合、ＣＰＵ１０１は、エコレポート印刷を促す通知画面１０００をタッチパネル９０１に表示させる（Ｓ８０１）。
【００９３】
通知画面１０００の表示中において、ＣＰＵ１０１は、ＰＡＮＥＬ１０４が操作されているか（キー入力があるか）を確認する（Ｓ８０２）。キー入力があった場合（Ｓ８０２：ＹＥＳ）、ＣＰＵ１０１はＳ８０６へと処理を進める。キー入力がなかった場合（Ｓ８０２：ＮＯ）、ＣＰＵ１０１はＳ８０３へと処理を進める。そして、ＣＰＵ１０１はＣＯＵＮＴＥＲ１１８を用いてキー入力があるまで通知画面の表示時間を計時（カウント）する（Ｓ８０３：ＮＯ）。キー入力が無く、通知画面の表示時間が一定の時間を過ぎた場合（Ｓ８０３：ＹＥＳ）、ＣＰＵ１０１は、エコレポート印刷を促す通知画面１０００をタッチパネル９０１上から削除する（Ｓ８０４）。通知画面１０００の削除とは、通知画面１０００の表示を終了することである。このとき、タッチパネル９０１は点灯を続けており、選択画面１０１０、入力画面１０２０、選択画面１０３０、指示画面１０４０等の主画面は表示され続ける。つまり、通知画面１０００の削除はタッチパネル９０１の消灯とは異なる。
【００９４】
また、通知画面１０００の削除は、通知画面１０００の明滅と異なる。通知画面１０００が明滅する場合、タッチパネル９０１の点灯中において通知画面１０００の表示と非表示が交互に繰り返される。一方で、通知画面１０００が削除された場合、次に条件を満たすまで通知画面１０００は表示されない。そのため、通知画面１０００が削除された場合、エコレポート推奨時刻を経過し、且つ、ＭＦＰ１００が電源を再投入（電源ＯＦＦ後のＯＮ）されるか、ＭＦＰ１００がスリープから復帰しないと通知画面１０００は表示されない。
【００９５】
続いてＣＰＵ１０１は、次のエコレポート推奨通知時刻を計算して、ＲＡＭ１０３のエコレポート推奨通知時刻２６１に保存する。具体的に述べると、エコレポート推奨通知を行うタイミングは、ＲＯＭ１０２のプログラム内で決められている。例えば、毎月２０日の午前９時を経過してから通知を行うことが決まっている場合、ＣＰＵ１０１は現在時刻情報から次に来る２０日の午前９時をエコレポート推奨通知時刻と決定する。ＣＰＵ１０１はエコレポート推奨通知時刻２６１を更新したら、処理を終える。
【００９６】
Ｓ８０２においてＰＡＮＥＬ１０４からのキー入力があった場合は、ＣＰＵ１０１はＳ８０６において、入力されたキーがエコレポート印刷を指示するキーであったかを調べる。通知画面１０００の表示中では、リセットキーの長押しがエコレポート印刷を指示することができる。そのため、リセットキーの長押しがあった場合、あるいは、レポート実行ボタン１００１が選択された場合（Ｓ８０６：ＹＥＳ）、ＣＰＵ１０１は、エコレポートの印刷処理を実行する（Ｓ８０７）。そして、ＣＰＵ１０１は通知画面の削除をおこなう。すなわち、次のエコレポート推奨時刻まで、通知画面１０００を表示させないようにする。
【００９７】
リセットキー９０２の長押しがなく、レポート実行ボタン１００１が選択されていない場合（Ｓ８０６：ＮＯ）、ＣＰＵ１０１は、入力されたキーに対応した処理を実行する（Ｓ８０８）。たとえば、ユーザは、通知画面１０００の表示中において、選択画面１０１０、入力画面１０２０、選択画面１０３０、指示画面１０４０に表示されたアイコンを選択することができる。つまり、ユーザはタッチパネル９０１を操作してプリント・スキャン・コピー等の実行を指示可能である。また、ユーザは、選択可能なスタートキー９０３を押下することで、プリント・スキャン・コピー等の実行を指示可能である。
【００９８】
上述したフローによれば、ＭＦＰ１００はエコレポートの印刷を促す通知をおこなうことができる。また、ＭＦＰ１００は、通知画面１０００の表示を開始してから一定時間経過後に通知画面１０００の表示を終了することができる。加えて、ユーザは通知画面１０００の表示中において、ＰＡＮＥＬ１０４を用いてエコレポートの印刷指示以外の操作を行うことができる。
【００９９】
ところで、以上の説明は、ＭＦＰ１００を操作する全てのユーザに対して同様に通知をおこなうことが前提となっている。しかしながら、図６、図７、図８を用いて説明した通知制御は、特定のユーザがログインしたときのみ適用してもよい。例えば、上述の表示条件を満たし、且つ、管理者ユーザがＭＦＰ１００にログインした場合にのみ通知画面１０００を表示してもよい。すなわち、管理者ユーザ以外のユーザがログインしても通知画面を表示しないように制御してもよい。
【０１００】
以上で説明したように、本実施例によれば、エコレポートの印刷を促す通知を定期的に行うことができる。そのためユーザはエコレポートの印刷を忘れることが無い。この通知はユーザがＭＦＰ１００の近くにいるときに行われる。そのため、ユーザは通知内容を確実に確認できる。この通知は、時間の経過あるいはエコレポートの印刷によって自動で非表示になる。そのため、ＰＡＮＥＬ１０４の操作性の低下を抑制できる。この通知は、ＰＡＮＥＬ１０４の通常の操作画面とは別に表示される。そのためユーザは通知画面の表示中において他の操作をおこなうことができる。つまりＰＡＮＥＬ１０４の操作性の低下を抑制できる。
【０１０１】
なお、上述の説明では、通知を行う目的としてエコレポートの印刷を例に挙げたが、印刷が行われるのであれば別の目的で通知をおこなってもよい。例えば、ＭＦＰ１００はＰＲＩＮＴＥＲ１０８のキャリブレーションを促すために通知を行ってもよい。ＭＦＰ１００においてキャリブレーションを行う場合、まずシートにパッチ画像を印刷し、次にシート上のパッチ画像をＳＣＡＮＮＥＲ１０７で読み込み、キャリブレーションデータを作成する。つまり、キャリブレーションを促す通知画面が表示された場合、ユーザは、リセットキー９０２の長押しや実行ボタンの選択によりパッチ画像の印刷を開始させることができる。このようにして作成したキャリブレーションデータを用いて印刷時の画像補正を行うことで、この画像形成装置は、所望の品質で印刷を行うことができる。
【０１０２】
しかしながら、キャリブレーションの実行はエコレポートの実行と比べて出力画像の品質に与える影響が大きい。そのため、キャリブレーションの実行を促す通知を行うときは、ポップアップによる通知を行いユーザに実行・非実行の選択を確実にさせることがのぞましい。一方で、エコレポートの実行はキャリブレーションの実行と比べて出力画像の品質に与える影響が小さい。そのため、エコレポートの実行を促す通知を行うときは、本実施例のように選択を強要しない方式で通知を行う
（その他の実施例）
本発明は、以下の処理を実行することによっても実現される。即ち、上述した実施例の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。なお、各種記憶媒体は単数でも複数でもよい。装置のコンピュータ（またはＣＰＵやＭＰＵ等）は単数でも複数でもよい。
【符号の説明】
【０１０３】
１０１  ＣＰＵ
１０２  ＲＯＭ
１０３  ＲＡＭ
１０４  ＰＡＮＥＬ
１０５  ＬＣＤ
１０６  画像処理部
１０７  ＳＣＡＮＮＥＲ
１０８  ＰＲＩＮＴＥＲ
９０１  タッチパネル
９０２  リセットキー
９０３  スタートキー
９０６  節電キー
９０７  電源スイッチ
１０００  エコレポート通知画面
１００１  レポート実行ボタン
１０１０  ユーザ選択画面
１０２０  パスワード入力画面
１０３０  機能選択画面
１０４０  印刷指示画面
１０３３  プリント機能選択ボタン
１１３０  確認画面
【図１】
2017177745.tif 000003
【図２】
2017177745.tif 000004
【図３】
2017177745.tif 000005
【図４】
2017177745.tif 000006
【図５】
2017177745.tif 000007
【図６】
2017177745.tif 000008
【図７】
2017177745.tif 000009
【図８】
2017177745.tif 000010
【図９】
2017177745.tif 000011
【図１０】
2017177745.tif 000012
【図１１】
2017177745.tif 000013